(57)【要約】      （修正有）【課題】水平測定、角度測定が可能な液体水平器を提供する。【解決手段】液体水平器は、透視測定面を持つ容器と、容器の容積の５０％に注入された液体と、容器は液体水平器の透視測定面に遮断された液体があらわす水平線の中心点を基準に流動できるように密閉可能であって、容器の透視測定面に写し出される液体の水平線上に平行して、容器の透視測定面に固定表示される水平基準線と、液体があらわす水平線の中心点を基準に容器の透視測定面の表面に固定表示される角度計目盛とからなる。【選択図】なし【特許請求の範囲】
【請求項１】
液体水平器本体の透視測定面を持つ容器に対し、容積の５０％にあたる液体を注入する。
液体が注入された、液体水平器の透視測定面に遮断された液体があらわす水平線の中心点を基準に、容器の内面壁が同一面で、注入された液体がバランスよく流動できる密閉可能な容器を使用する。
液体水平器本体の底辺、素材測定面に平行して容器の透視測定面に写し出される水平線上に平行して、透視測定面の表面に水平基準線を固定表示。
液体水平器本体の透視測定面に液体があらわす水平線の中心点を基準に容器の透視測定面の表面、及び液体水平器本体外縁に角度計目盛を固定表示。
液体のあらわす自然重力運動と透視測定面に遮断された液体による水平線を応用した事で、素材測定物を一発測定、正確な測定結果を水平線自体が指示。
液体のあらわす自然重力運動と水平線を応用開発したのが、請求項１の液体水平器
【発明の詳細な説明】
【技術の分野】
【０００１】  本発明の液体水平器は、液体の自然重力運動を利用する事により、敏速で正確な測定結果を透視測定面に透視された水平線自体が測定結果を指示する。
液体水平器本体の透視測定面を持つ容器に対し、容積の５０％にあたる液体を注入する。
透視測定面に透視された、水平線の中心点を基準に液体水平器の容器の内面壁が同一面で液体がバランスよく流動できる密閉可能な容器を使用する。
液体が注入された、液体水平器の透視測定面に遮断され、液体によって写し出される水平線の中心点を基準に透視測定面、及び液体水平器本体外縁に角度計目盛を表示。
本発明に搭載の液体水平器に、素材測定面・角度計目盛を持つ測定台を設けた事により、測定台の底辺測定面に平行して、液体水平器の透視測定面に遮断され写された水平線上に平行し、水平基準線を透視測定面の表面に固定表示する。
透視測定面に写し出された水平線が測定素材に対し、即時、正確な水平測定、角度測定などの測定結果を水平線が直接指示する。
液体の自然重力運動と水平線を応用した技術を特徴とし、開発したのが液体水平器。
【背景技術】
【０００２】  従来から使用の気泡付き水平器は、液体に浮ぶ気泡自体に測定基準となる印が無く、中心点のない気泡を液体内に閉じ込め、気泡が最上部に達した地点を水平地点とし、使用者が目測によって水平である事を確認決定しなければならない。
気泡自体に直接測定結果を指示する機能が無く、水平確認が難しく正確な水平測定は不可能な状況にある。
【発明の概要】
【発明が解決しようとする課題】
【０００３】  従来の気泡による水平器は目測による測定器であり、気泡自体に水平を定める正確な指示機能が無く、液体に浮かぶ気泡が最高位に達した処を目測測定に頼る水平器で測定器からの直接指示の無い難しい水平器であった。
気泡搭載の水平器には、指示機能が無く、水平基準位置もなく応用測定を可能とする水平基準線・角度計目盛を設けるには無理な水平測定器であった。
角度測定が出来ない水平測定のみの気泡装置を複数装備した多機能型気泡水平器は複雑に大型化した事で、個々の測定装置が絡み合い協調性がなく、応用機能もなく性能を充分に発揮できない状況下にあった。
本発明の液体水平器は、これらの不都合を解消する事を課題とし、発明したのが液体水平器です。
【課題を解決するための手段】
【０００４】  液体水平器本体の透視測定面を持つ容器に対し、容積の５０％にあたる液体を注入する。液体が注入された、液体水平器の透視測定面に透視される水平線の中心点を基準に、容器の内面壁が同一面で液体がバランスよく流動できる密閉可能な容器。
液体水平器の透視測定面をもつ容器に封じこめた液体は、液体による自然重力運動により、透視測定面に透視された水平線は測定素材に対し即時反応し、水平測定、角度測定の結果を水平線自体が測定結果を直接指示する。
液体水平器の底辺素材測定面に平行して、液体水平器の透視測定面に写し出された水平線上に水平基準線を固定表示する。
透視測定面に写し出された水平線の中心点を基準に透視測定面、及び液体水平器本体外縁に角度計目盛を固定表示する。
液体水平器の液体による水面は透視測定面により遮断され、写し出された水平線は測定素材に対し、水平測定、角度測定・角度差測定など、即時正確な測定結果を水平線が直接指示する。
本発明の、液体水平器は従来の気泡水平器に代わり、単一の測定器として、敏速・正確な水平測定、角度測定・応用測定など液体水平器は多角化測定を実現した。
この様な特徴を課題とし、重力と水平線を応用し、開発を図ったのが液体水平器。
【発明の効果】
【０００５】１  液体水平器内の液体は、液体の重力運動により、与えられた素材に対し、液体水平器  の透視測定面に遮断され写し出された水平線は、即時、正確な水平測定、角度測定・角  度差測定の測定結果を水平線自体が直接指示する事を可能にした。
２  透視測定面に写し出された水平線の中心点を基準に透視測定面外面、及び液体水平器  本体外縁に角度計目盛を固定表示する。
３  液体が注入された、液体水平器の透視測定面に透視される水平線の中心点を基準に、  容器の内面壁が同一面で円柱容器、直円錐容器、直曲面容器、など液体がバランスよく  流動できる密閉可能な容器を使用する事が可能、したがって、直円錐容器の円錐面、直  曲面容器の曲面の頂点を基準にリング状水平基準線、リング状角度計目盛を装備使用す  る事により、液体水平器を倒して使用する事で液体の水面による水平測定、水面による  角度測定を可能とした。
４  液体の水面による測定を利用する事で、平面盤の水平測定、平面盤の角度測定、平面  盤表面の凸凹測定など液体水平器の応用範囲を広げた事で平面測定を可能とした。
５  液体水平器は、水平基準線、角度計目盛、リング状水平基準線、リング状角度計目盛  を液体水平器本体に装備した事で測定による応用範囲が拡大した。
６  液体水平器を伸縮物差しへ応用装備する事で測定素材間の空間水平測定、測定素材間  の空間距離測定、測定素材間の空間角度測定を可能にした、この三測定を液体水平器の  みで同時測定する事を可能にした。
７  液体水平器を取り付けた巻尺の伸縮物差しの先端部に二つ目の液体水平器を取付ける  事で、測定素材間の空間水平測定、測定素材間の空間距離測定、測定素材間の空間角度  測定など、測定素材間の測定間隔を拡張、この三測定を同時測定する事を可能にした。
８  液体水平器を取り付けた巻尺は、水平線による測定結果を示す指示機能をととのえ、  ポケットに入る巻尺は最小の水平器付き伸縮物差しで有る。
本発明の液体水平器を巻尺など工具に装備する事で応用範囲の拡大可能、正確な多機能応用水平測定器として成し遂げたのが液体水平器。
【発明のを実地するための最良の形態】
【０００６】（イ）本発明の液体水平器本体搭載の液体は摩擦による抵抗力が無く液体の自然重力運動  を原動力とし応用したものである。
（ロ）透視測定面を持つ容器を使用。
（ハ）容器の容積に対し５０％の液体を注入。
（ニ）容器に注入された液体は透視測定面に遮断され、水平線として透視、透視された水  平線の中心点を基準に容器の内面壁が同一面の容器を使用。
（ホ）液体水平器の素材測定面に平行して、水平線が透視測定面に透視、透視された水平  線上に平行して水平基準線を固定表示。
（ヘ）透視された水平線の中心点を基準に透視測定面、及び液体水平器本体、外縁に角度  計目盛表示。
本発明は以上のような構成から成り立っています。
この液体による水面は透視測定面に遮断され、透視測定面に写しだされた水平線は、  水平基準線と角度計目盛を装備する事により、測定素材にたいし、水平測定・角度測定  ・角度差測定の結果を水平線によって、直接指示する事を可能とした。
容器の内面壁が同一面で円柱容器、直円錐容器、直曲面容器など、他にもバランスよ  く液体が流動できる密閉可能な容器を使用する事も可能。
直円錐容器の円錐面、直曲面容器の曲面の頂点を基準に、リング状水平基準線、リング  状角度計目盛を装備使用する事により、液体水平器は倒して使用する事で液体の水面に  よる水平測定を可能とした。
液体水平器を伸縮物差し、巻尺・物差し・定規・工具等に装備する事で液体水平器は  水平測定・角度測定・角度差測定・平面水平測定・平面角度測定・平面凹凸測定・多機  能応測定など。
液体の自然重力運動と水平線を応用した技術を特徴とし。
開発を成遂げたのが液体水平器。